(57)【特許請求の範囲】
【請求項１】
一枚のブランクシートを打ち抜いて形成され、商品を収容する箱体の内側の片側に、箱体側面内側に隣接して形成されこの側面に平行な仕切板により区切られているポケットが設けられ、上記仕切板の上記ポケットとは反対側には、上記仕切板と直角な複数の仕切片により区切られている商品収容空間が形成され、上記仕切片の下端には、箱体の底面方向へ延出し、商品間の緩衝部となる突出部が形成され、上記箱体は、箱体を形成する互いに平行な２側面の間に、板状の仕切板が上記２側面と直角な一側面に平行に取り付けられ、この一側面の上端に隣接して形成されこの側面に重ねられる折返片が設けられ、上記折返片の底面側の端部から上記仕切板との間に、複数の板状の仕切片が所定間隔で互いに対面して設けられ、箱体を形成した互いに平行な２側面の下端には底を形成する一対の底蓋片が各々設けられ、この底蓋片の端縁部には、箱体の組み立て状態で各底蓋片が互いに一部重なり合って係合する切り欠き部が形成され、上記底蓋片には折罫線を介して糊付け片が形成され、上記底蓋片と直交する側面下端には上記糊付け片と糊付けされる底フラップが設けられ、上記突出部の基端付近の上記仕切片の下端延長線上に、切込み線が断続して設けられ、上記箱体を折り畳んだ状態で上記仕切片に上記底蓋片が重なるように折り畳まれ、上記箱体の組み立てに際して、上記側面を開くように箱体を形成すると、上記底蓋片の移動に対して上記仕切片から上記底蓋片方向へ突出した上記突出片が、上記切り込み線により容易に折れ曲がり、上記底蓋片の開き動作の抵抗とならないように形成されたことを特徴とする仕切付包装用箱。
【発明の詳細な説明】
【０００１】
【発明の属する技術分野】
この発明は、複数の商品と、商品についての説明書等を、各々仕切って収容し、保管や運搬を行なう仕切付包装用箱に関する。
【０００２】
【従来の技術】
従来、紙製の一枚のブランクシートを打ち抜いて形成され、商品収納時にワンタッチで組み立てられる仕切付の包装用箱は、実開平６−４２６４２号公報に開示されているように、箱を形成する二対の側面板の底面側の端縁から延長して底面を形成する二対の底面板が設けられ、各底面板から延長され折り返されて各底面板に重ねられる二対の折り返し片が設けられている。組み立て状態でこの底面板と折り返し片とが互いに挟みあって底面を構成し、この二対の折り返し片のうちの一対の折り返し片から延長されて組み立て状態で箱の上方に向かって突設される、複数の仕切片からなる仕切構成部が設けられている。この一対の仕切構成部から各々延長され折り曲げられ、組み立て状態で箱内で互いに所定の間隔を置いて対面する一対の中央仕切板が設けられている。
【０００３】
【発明が解決しようとする課題】
上記従来の技術の場合、溝造が複雑であり、折罫線も多く組み立てにくいものであった。また、仕切片は箱体内で一側面と平行に且つ斜め上方に向かって形成されているので、収容物の底部に近い個所の衝突を防止できないものであった。  この発明は、上記従来の技術の問題点に鑑みてなされたもので、簡単な構成で、組み立てが容易であり、緩衝効果も高い仕切付包装用箱を提供することを目的とする。
【０００４】
【課題を解決するための手段】
この発明は、紙製等の一枚のブランクシートを打ち抜いて形成され、商品を収容する箱体の内側の片側に、箱体側面内側に隣接して形成されこの側面に平行な仕切板により区切られているポケットが設けられ、上記仕切板の上記ポケットとは反対側には、上記仕切板と直角な複数の仕切片により区切られている商品収容空間が形成され、上記仕切片の下端には、箱体の底面方向へ延出し、商品間の緩衝部となる突出部が形成され、箱体を形成した互いに平行な２側面の下端には底を形成する底蓋片が各々設けられ、この底蓋片の端縁部には、箱体の組み立て状態で底蓋片が互いに係合する切り欠き部が形成され、上記底蓋片には折罫線を介して糊付け片が形成され、上記底蓋片と直交する側面下端には上記糊付け片と糊付けされる底フラップが設けられ、上記突出部の基端付近の上記仕切片の下端延長線上に、切込み線が断続して設けられ、上記箱体を折り畳んだ状態で上記仕切片に上記底蓋片が重なるように折り畳まれ、上記箱体の組み立てに際して、上記側面を開くように箱体を形成すると、上記底蓋片の移動に対して上記仕切片から上記底蓋片方向へ突出した上記突出片が、上記切り込み線により容易に折れ曲がり、上記底蓋片の開き動作の抵抗とならないように形成された仕切付包装用箱である。
【０００５】
この発明の仕切付包装用箱は、一枚のブランクシートを所定の順序で糊付けと折り返しを行ない、その後ワンタッチで箱体に組み立てられる。このとき、一枚のシートに隣接して形成され、互いに切込み線で区切られている仕切板と各仕切片は、互いに直角に起こされ、箱体内にポケットと商品収納空間の仕切を形成する。
【０００６】
【発明の実施の形態】
以下、この発明の実施の形態について、図面に基づいて説明する。図１、図２はこの発明の第一実施形態を示すもので、この実施形態の仕切付包装用箱は、図１に示す箱体形成片１０が、紙製等の一枚のブランクシートを打ち抜いて形成されている。このパッケージ形成片１０は、側面１２、１４、１６、１８が一体に連接して形成されている。さらに、組み立て状態で側面１８の内側に糊付けされる糊付け片２０が、側面１２の側方に連接して形成されている。糊付け片２０、側面１２、１４、１６、１８は各々折罫線２２、２４、２６、２８で区切られている。
【０００７】
上蓋片３０は、折罫線３２で側面１２の上端と区切られている。上蓋片３０には、さらに差込み片３３が折罫線３４を介して形成され、差込み片３３の折罫線３４近くの両脇に、折罫線３４に平行な切込線３５が各１本設けられている。
【０００８】
フラップ３６は折罫線３８で側面１４の上端と区切られ、フラップ３６の折罫線２６に隣接する部分に段部４０が形成されている。そして、フラップ４２は折罫線４６で側面１８の上端と区切られ、フラップ４２の折罫線２８に隣接する部分に段部４８が形成されている。
【０００９】
そして、側面１６の上端部には、折罫線５０で区切られて、側面１６より少し小さい形の折返片５２が設けられている。折罫線５０上には、折罫線５０方向に長い楕円状の透孔５３が形成され、折返片５２の端部には、さらに仕切構成部５４が折罫線５６で区切られて設けられている。仕切構成部５４の端部には、折罫線５６と平行に長辺を有する矩形の板状の仕切板７２が設けられている。
【００１０】
ここで、仕切構成部５４は、折罫線５０を５等分した長さと同じ幅の４枚の仕切片５８が、折罫線５６の一端部から、折罫線５６に対して斜めに形成されている。４枚の仕切片５８は、互いに平行で隣接し、仕切片５８は各々４本の切込線６５で区切られている。各切込線６５は、折罫線５６近傍で、折罫線５６側にくの字型に曲がり、仕切片５８に突出部である三角部６２を形成している。三角部６２の基端部には、切込線６５の延長線上に切込線６６が形成され、切込線６５との間に、切り残し部が設けられている。各切込線６５は、折罫線５６から仕切板７２の中央付近に達し、各切込線６５の仕切板７２側の端部は仕切板７２内で曲線となり、その先端は折罫線５６とほぼ平行となっている。各切込線６５の仕切板７２側の先端部の下方には、折罫線５６に対して直角に切込線６４が設けられ、さらに切込線６４の延長上に、切込線６８が折罫線５６近傍まで達して設けられている。切込線６４、６８は、各々切込み線６５との間には、切り残し部が設けられている。折罫線５６上で、仕切片５８の基端部にも各々切込線が形成されている。
【００１１】
そして、仕切板７２の長辺は、側面１６の水平方向長さよりわずかに短く形成され、そして短辺に隣接して糊付け部７４、７６が、各々短辺と一致する折罫線７８、８０で区切られて設けられている。折罫線７８、８０上には各々切込線が設けられている。
【００１２】
次に、底蓋片８２は、折罫線８４で側面１２の下端と区切られている。そして、底蓋片８２の折罫線２４に近い部分に、折罫線８６で区切られて三角形状の糊付け部８８が設けられている。そして、底蓋片８２の端縁部には、糊付け片８８に近い部分に突部９０が形成され、端縁部の中心に切欠部９２が形成されている。また、底蓋片９４は、折罫線９６で側面１６の下端と区切られている。底蓋片９４も底蓋片８２と同様に、糊付け片９８が折罫線１００で区切られて設けられ、端縁部には突部１０２と切欠部１０４が形成されている。台形の下底フラップ１０６は、折罫線１０８で側面１４の下端と区切られ、また底フラップ１１０は、折罫線１１２で側面１８の下端と区切られている。
【００１３】
次にこの実施の形態の仕切付包装用箱の組み立て方法について、図面に基づいて説明する。なお、ここでは図１がこの仕切付包装用箱の箱体形成片１０の紙面表面側を見たものであり、図１において紙面表面側が凸になる折り方を正折り、そして紙面表面側が凹になる折り方を逆折りと称する。まず、折返片５２の裏面に糊１１４を塗布し、折罫線５０を正折りして側面１６裏面を折返片５２裏面に糊付けする。次に、糊付け片７４の表面に糊１１４を塗布し、折罫線５６を逆折して糊付け片７４の表面を側面１４裏面に糊付けする。そして、糊付け片７６の裏面に糊１１４を塗布し、さらに底蓋片８２、９４を折罫線８４、９６で正折りし、底フラップ１０６、１１０の折罫線１０８、１１２を正折りし、折罫線８６、１００を逆折りし、糊付け片８８、９８の裏面と、糊付け片２０の表面にも糊１１４を塗布する。さらに折罫線２４、２８を正折りし、糊付け片２０が、折罫線１１２で正折りされた側面１８とフラップ１１０との間に差し込むようにし、糊付け片８８裏面を底フラップ１０６の表面に、糊付け片９８裏面を底フラップ１１０の表面に、糊付け片２０の表面を側面１８の裏面に糊付けする。
【００１４】
次に商品を収容し包装する工場等において、折罫線２２、２４、２６、２８を各々９０°に正折りして四角形の箱体にする。このとき、折罫線７８は９０°に正折りされ、折罫線８０は９０°に逆折りされ、仕切板７２は側面１４と１８の間に形成され、箱体内に側面１２、１６に平行なポケットを形成する。そして、４本の切込み線６４は逆折りされ、４本の切込み線６８は正折りされ、４本の仕切片５８は仕切板７２と折返片５２とを連結し、仕切板７２と折返片５２との間の空間を５等分する仕切が形成される。折罫線５６と、切込み線６５、６８で囲まれた三角形またはくの字型の部分は仕切支持部６０となり、折返片５２に折り重ねられた状態で、仕切片５８の基端部を固定する。
【００１５】
そして、この仕切付包装用箱を箱体とする際、仕切構成部５４と重ねられた底蓋片９４は、三角部６２の裏面を押しながら摺動する。このとき、三角部６２は、三角部６２の基端部に設けられた切込線６６から容易に逆折りされ、底蓋片９４の動きに支障をきたさず、組み立ての際に抵抗がない。また、切欠部９２、１０４が互いに係合し、突部９０が底蓋片９４表面に重ねられ、突部１０２が底蓋片８２表面に重ねられる。そして、５等分された仕切板７２と折返片５２との間に５個の商品を収納し、仕切板７２と側面１２との間のポケットに商品についての取り扱い説明書等を収容する。そしてフラップ３６、４２を各々折罫線３８、４６で９０°に正折りし、折罫線３２と折罫線３４を９０°に正折りし、差込片３３を折返片５２に沿って差し込む。このとき、切込線３５、３５は段部４０、４８に各々係合される。
【００１６】
この実施形態の仕切付包装用箱によれば、簡単な作業工程により組み立てられ、商品を個別に保護する仕切りと、取り扱い説明書等、商品と異なる形状のものを商品と区分するポケットが形成され、商品と取り扱い説明書を整頓した状態で収容することができる。しかも、簡単な溝造で短時間で組み立てられるため、大量生産が可能である。箱体に組み立てるときは、底蓋片９４に押圧されて三角部６２は切込線６６から容易に正折りされ、底蓋片９４は動きが妨げられることなく側面１６から簡単に起こすことができる。そして仕切支持部６０により、仕切片５８は動いたり倒れたりせず確実に固定される。また、三角部６２により、仕切片５８の垂直方向が長くなり、商品の底部分の緩衝部となり、商品を確実に保護することができる。この仕切付包装用箱の底部分は、切欠部９２、１０４、突部９０、１０２によりワンタッチで組み立てられ、また組み立て状態を保持し容易に外れないようになっている。上蓋部分も、切込み線３５、３５と段部４０、４８により確実に組み立て状態が保持されるが、上蓋片３０を開けるときは、透孔５３から指を差込片３３に当接させて容易に開けることができる。
【００１７】
次に、この発明の第二実施形態について図３、図４に基づいて説明する。ここで、上述の実施の形態と同様の部材は同一の符号を付して説明を省略する。この実施形態の仕切付包装用箱は、図３に示す箱体形成片１１６が、紙製等の一枚のブランクシートを打ち抜いて形成されている。
【００１８】
この実施形態の仕切構成部５４は、折罫線５０を５等分した長さと同じ幅の４枚の仕切片５８が、折罫線５６の一端部から、折罫線５６に対して斜めに形成されている。仕切片５８の端部には、仕切支持部１１８が隣接して設けられている。４枚の仕切片５８は、互いに平行で隣接し、仕切片５８は各々切込線６５で区切られている。切込み線６５は、折罫線５６から仕切支持部１１８の中央付近に達する直線で、折罫線５６近傍で折罫線５６側にくの字型に曲がっている。
【００１９】
そして、仕切支持部１１８は、折罫線５６と平行な長辺を有する矩形で、仕切支持部１１８の長辺は側面１６の水平方向長さよりわずかに短く形成されている。仕切板７２の短辺の一方に、糊付け片７４が折罫線７８で区切られて設けられ、折罫線７８の中央に折罫線７８に沿って切込線が設けられている。
【００２０】
仕切支持部１１８の端部には、仕切板７２が折罫線１２０で区切られて設けられている。仕切板７２は仕切支持板１１８と平行な長辺を有する矩形で、仕切支持板１１８とほぼ同じ大きさで、わずかに、糊付け片７４と反対方向に平行に突出して設けられている。仕切板７２の短辺のうち、糊付け片７４と反対側に、糊付け片７６が折罫線８０で区切られて設けられている。折罫線８０の中央に折罫線８０に沿って切込線８０が設けられている。
【００２１】
次にこの実施の形態の仕切付包装用箱の組み立て方法について、図面に基づいて説明する。まず、折返片５２の裏面に糊１１４を塗布し、折罫線５０を正折りして側面１６裏面を折返片５２裏面に糊付けする。次に、糊付け片７４の表面に糊１１４を塗布し、折罫線５６を逆折りして糊付け片７４表面を側面１４裏面に糊付けする。そして、仕切支持部１１８の仕切片５８を除いた部分の裏面に糊１１４を塗布し、折罫線１２０を正折りし、仕切支持部１１８の裏面を仕切板７２裏面に糊付けする。次に糊付け片７６表面に糊１１４を塗布し、折罫線８４、１０８、９６、１１２を正折りし、折罫線８６、１００を逆折りし、糊付け片８８、９８の裏面と糊付け片２０の表面にも糊１１４を塗布する。さらに折罫線２４、２８を正折りし、糊付け片２０が、折罫線１１２で正折りされた側面１８とフラップ１１０との間に差し込むようにし、糊付け片８８裏面を底フラップ１０６表面に、糊付け片９８裏面を底フラップ１１０表面に、糊付け片２０の表面と糊付け片７６表面を側面１８の裏面に、各々糊付けする。
【００２２】
次に商品を収容し包装する工場等において、折罫線２２、２４、２６、２８を各々９０°に正折りして四角形の箱体にする。このとき、折罫線７８、８０は９０°に正折りされ、仕切板７２は側面１４と１８の間に形成され、仕切板７２には仕切支持部１１８が折り重ねられ、箱体内に側面１２、１６に平行なポケットを形成する。そして、４本の切込み線６４は逆折りされ、４本の切込み線６８は正折りされ、４本の仕切片５８は仕切支持板１１８と折返片５２とを連結し、仕切支持板１１８と折り返し片５２との間の空間を５等分する仕切が形成される。  この実施形態の仕切付包装用箱によっても、上記実施の形態と同様の効果を持つものである。また、仕切板７２は仕切支持板１１８が重ねられて２層となり、ポケットがより丈夫で耐久性がある。
【００２３】
なお、この発明の仕切付包装用箱は、上記実施の形態に限定されるものではなく、素材や、各部材の形状など適宜変更可能である。商品も５個入りに限らず、仕切の数を変更して何個でも収納することができる。ポケットは、取り扱い説明書に限らず、細かい付属品等も収納可能で、適宜被収容物に合わせてポケットの幅や仕切板の大きさを変更することができる。
【００２４】
【発明の効果】
この発明の仕切付包装用箱は、簡単な溝造でワンタッチで組み立てられ、取り扱い説明書等を収容するポケットと、複数の商品を個別に区切る仕切板及び仕切片が形成され、整頓された状態で商品を保護し収容するものである。しかも、仕切片には底方向に向かった突出部が形成され、収容物の干渉効果を高いものにしている。
【図面の簡単な説明】
【図１】  この発明の第一実施形態の仕切付包装用箱の展開図である。
【図２】  この実施形態の仕切付包装用箱の組み立てた状態を示す斜視図である。
【図３】  この発明の第二実施形態の仕切付包装用箱の展開図である。
【図４】  この実施形態の仕切付包装用箱の組み立てた状態を示す斜視図である。
【符号の説明】
１０    箱体形成片
１２、１４、１６、１８    側面
３０    上蓋片
５２    折返片
５４    仕切構成部
５８    仕切片
６２    三角部
６６    切込線
７２    仕切板
７４、７６    糊付け部
８２、９４    底蓋片
９２、１０４    切欠部
【図１】
0003881727.tif 000002
【図２】
0003881727.tif 000003
【図３】
0003881727.tif 000004
【図４】
0003881727.tif 000005